【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビットストリームの部分においてパラメータセットの更新が起こり得るかどうかを示すインジケータを復号することと、
前記ビットストリームの前記部分において前記パラメータセットの更新が起こり得ることを示す前記インジケータに基づいて、特定のタイプの、かつ特定の識別値を有する現在のパラメータセットが、同じ特定のタイプの、かつ同じ特定の識別値を有する前のパラメータセットの内容とは異なる内容を有することに基づいて、前記パラメータセットの更新を実行すること、または
前記ビットストリームの前記部分において前記パラメータセットの更新が起こり得ないことを示す前記インジケータに基づいて、前記前のパラメータセットと同じ特定のタイプの、かつ同じ特定の識別値を有する前記現在のパラメータセットに基づいて、前記パラメータセットの更新を実行するのを控えることと、
を備え、前記インジケータに基づいて、１つまたは複数のタイプのパラメータセットについて、前記ビットストリームの前記部分において前記パラメータセットの更新が起こり得るかどうか判断することをさらに備える、方法。
【請求項２】
前記パラメータセットの更新を実行することが、
前記現在のパラメータセットの前記内容を前記前のパラメータセットの前記内容と比較することと、
前記現在のパラメータセットの前記内容が前記前のパラメータセットの前記内容とは異なることに基づいて、前記ビットストリームの前記部分について、前記前のパラメータセットを非アクティブ化し、かつ前記現在のパラメータセットをアクティブ化するために、前記パラメータセットの更新を実行することと
をさらに備える、請求項１に記載の方法。
【請求項３】
前記インジケータが、任意のタイプのパラメータセットについて、前記ビットストリームの前記部分においてパラメータセットの更新が起こり得るかどうかを示す、単一のシンタックス要素を備える、請求項１に記載の方法。
【請求項４】
前記インジケータが、複数のシンタックス要素のうち１つを備え、ここで、前記複数のシンタックス要素の各々が、特定のタイプのパラメータセットについて、前記ビットストリームの前記部分においてパラメータセットの更新が起こり得るかどうかを示す、請求項１に記載の方法。
【請求項５】
前記インジケータが、前記ビットストリームの前記部分の少なくとも１つのアクセスユニットに含まれるシーケンスパラメータセット（ＳＰＳ）ネットワークアブストラクションレイヤ（ＮＡＬ）ユニットに含まれるシンタックス要素を備える、請求項１に記載の方法。
【請求項６】
前記インジケータが、前記ビットストリームに含まれるシンタックス要素、前記ビットストリームのコード化ビデオシーケンスに含まれるシンタックス要素、プロファイル定義中の要件、セッション記述プロトコルに含まれるメディアタイプパラメータ、またはハイパーテキスト転送プロトコル（ＨＴＴＰ）ストリーミング環境についてのメディアプレゼンテーション記述に含まれるストリームプロパティ、のうち１つを備える、請求項１に記載の方法。
【請求項７】
ビデオデータを符号化する方法であって、
ビットストリームの部分においてパラメータセットの更新が起こり得るかどうかを示すインジケータを符号化することを備え、
前記ビットストリームの前記部分において前記パラメータセットの更新が起こり得ることを示す前記インジケータに基づいて、前記インジケータが、ビデオデコーダに、特定のタイプの、かつ特定の識別値を有する現在のパラメータセットが、同じ特定のタイプの、かつ同じ特定の識別値を有する前のパラメータセットの内容とは異なる内容を有することに基づいて、前記パラメータセットの更新を実行するよう通知し、または
前記ビットストリームの前記部分において前記パラメータセットの更新が起こり得ないことを示す前記インジケータに基づいて、前記インジケータが、前記ビデオデコーダに、前記前のパラメータセットと同じ特定のタイプの、かつ同じ特定の識別値を有する前記現在のパラメータセットに基づいて、前記パラメータセットの更新を実行するのを控えるように通知し、
前記インジケータが、１つまたは複数のタイプのパラメータセットについて、前記ビットストリームの前記部分において前記パラメータセットの更新が起こり得るかどうかを示す、方法。
【請求項８】
前記インジケータが、任意のタイプのパラメータセットについて、前記ビットストリームの前記部分においてパラメータセットの更新が起こり得るかどうかを示す単一のシンタックス要素を備える、請求項７に記載の方法。
【請求項９】
前記インジケータが、複数のシンタックス要素のうち１つを備え、ここで、前記複数のシンタックス要素の各々が、特定のタイプのパラメータセットについて、前記ビットストリームの前記部分においてパラメータセットの更新が起こり得るかどうかを示す、請求項７に記載の方法。
【請求項１０】
前記インジケータが、前記ビットストリームの前記部分の少なくとも１つのアクセスユニットに含まれるシーケンスパラメータセット（ＳＰＳ）ネットワークアブストラクションレイヤ（ＮＡＬ）ユニットに含まれるシンタックス要素を備える、請求項７に記載の方法。
【請求項１１】
前記インジケータが、前記ビットストリームに含まれるシンタックス要素、前記ビットストリームのコード化ビデオシーケンスに含まれるシンタックス要素、プロファイル定義中の要件、セッション記述プロトコルに含まれるメディアタイプパラメータ、またはハイパーテキスト転送プロトコル（ＨＴＴＰ）ストリーミング環境についてのメディアプレゼンテーション記述に含まれるストリームプロパティのうち１つを備える、請求項７に記載の方法。
【請求項１２】
ビデオデータをコーディングするためのビデオコーディングデバイスであって、
ビデオデータを記憶するように構成されたメモリと、
ビットストリームの部分においてパラメータセットの更新が起こり得るかどうかを示すインジケータをコーディングすることと、
前記ビットストリームの前記部分において前記パラメータセットの更新が起こり得ることを示す前記インジケータに基づいて、特定のタイプの、かつ特定の識別値を有する現在のパラメータセットが、同じ特定のタイプの、かつ同じ特定の識別値を有する前のパラメータセットの内容とは異なる内容を有することに基づいて、前記パラメータセットの更新を実行すること、または
前記ビットストリームの前記部分において前記パラメータセットの更新が起こり得ないことを示す前記インジケータに基づいて、前記前のパラメータセットと同じ特定のタイプの、かつ同じ特定の識別値を有する前記現在のパラメータセットに基づいて、前記パラメータセットの更新を実行するのを控えることと、
を行うように構成された１つまたは複数のプロセッサと、
を備え、前記インジケータが、１つまたは複数のタイプのパラメータセットについて、前記ビットストリームの前記部分において前記パラメータセットの更新が起こり得るかどうかを示す、デバイス。
【請求項１３】
前記インジケータが、任意のタイプのパラメータセットについて、前記ビットストリームの前記部分においてパラメータセットの更新が起こり得るかどうかを示す単一のシンタックス要素を備える、請求項１２に記載のデバイス。
【請求項１４】
ビデオデータをコーディングするためのビデオコーディングデバイスであって、
ビットストリームの部分においてパラメータセットの更新が起こり得るかどうかを示すインジケータをコーディングするための手段と、
前記ビットストリームの前記部分において前記パラメータセットの更新が起こり得ることを示す前記インジケータに基づいて、特定のタイプの、かつ特定の識別値を有する現在のパラメータセットが、同じ特定のタイプの、かつ同じ特定の識別値を有する前のパラメータセットの内容とは異なる内容を有することに基づいて、前記パラメータセットの更新を実行するための手段、または
前記ビットストリームの前記部分において前記パラメータセットの更新が起こり得ないことを示す前記インジケータに基づいて、前記前のパラメータセットと同じ特定のタイプの、かつ同じ特定の識別値を有する前記現在のパラメータセットに基づいて、前記パラメータセットの更新を実行するのを控えるための手段と、
を備え、前記インジケータが、１つまたは複数のタイプのパラメータセットについて、前記ビットストリームの前記部分において前記パラメータセットの更新が起こり得るかどうかを示す、デバイス。
【請求項１５】
ビデオデータをコーディングするための命令を備えるコンピュータ可読媒体であって、前記命令が、実行されると、１つまたは複数のプロセッサに、請求項１乃至１１のいずれかの方法を行わせる、コンピュータ可読媒体。